【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
「自装置の内部の電子生物と他の電子生物生存装置の内部の他の電子生物との間の擬似的な『コミュニケーション、すなわち、交流または交流のための情報伝達』のために使用される伝達情報（前記伝達情報は、（ａ）『こんにちは』、『友達になりましょう』、『ジャンケンしよう』、又は『ＡＢＣ３回戦ゲームしよう』などのメッセージ（ここでのメッセージとは、電子生物から他の電子生物へ伝達される、電子生物の思想、感情または意思を含む情報をいう。）と、（ｂ）自装置の内部の電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、趣味、若しくはその他のプロフィールなどの事実情報（ここでの事実情報とは、電子生物から他の電子生物へ伝達される、電子生物の思想、感情または意思を含まない情報をいう。）とを含む。）の複数の候補であって、自装置の内部の電子生物が伝達の主体となっており他の電子生物生存装置の内部の他の電子生物が伝達の相手方となっている伝達情報の複数の候補」とを、記録しておく伝達情報候補等記録手段と、
「自装置の内部の電子生物が主体となっている『伝達情報』を示す情報を、乗せた若しくは一体化した、電波または赤外線」を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する電波等発信手段と、
他の電子生物を生存させている他の電子生物生存装置から近距離無線により発信された前記電波等を、近距離無線によりインターネットなどの公衆通信網を介することなく直接に、受信する電波等受信手段と、
前記電波等受信手段により受信された電波等に基づいて、「前記他の電子生物からの、前記他の電子生物が主体となっている『伝達情報』」を、画面又は音声により出力する出力手段と、
を備えたことを特徴とする、ユーザーに携帯され又はユーザーの身体に装着される装置であってその内部に電子生物を生存させる携帯型電子生物生存装置。
【請求項２】
「自装置の内部の電子生物と他の電子生物生存装置の内部の他の電子生物との間の擬似的な『コミュニケーション、すなわち、交流または交流のための情報伝達』のために使用される伝達情報（ここでの伝達情報は、（ａ）『こんにちは』、『友達になりましょう』、『ジャンケンしよう』、又は『ＡＢＣ３回戦ゲームしよう』などのメッセージ（ここでのメッセージとは、電子生物から他の電子生物へ伝達される、電子生物の思想、感情または意思を含む情報をいう。）と、（ｂ）自装置の内部の電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、趣味、若しくはその他のプロフィールなどの事実情報（ここでの事実情報とは、電子生物から他の電子生物へ伝達される、電子生物の思想、感情、または意思を含まない情報をいう。）とを含むが、上記（ｂ）の事実情報の一種である自装置の内部の電子生物の名前および画像の少なくとも一方は含まない。）の複数の候補であって、自装置の内部の電子生物が伝達の主体となっており他の電子生物生存装置の内部の他の電子生物が伝達の相手方となっている伝達情報の複数の候補」を、記録しておく伝達情報候補記録手段と、
他の電子生物生存装置の内部の他の電子生物に伝達する又は伝達しようとする『伝達情報』を、前記伝達情報候補記録手段に記録されている伝達情報の複数の候補の中から、「ユーザーによる事前の設定または選択時の操作」に基づいて、選択する伝達情報選択手段と、
前記伝達情報選択手段により選択された『伝達情報』を示す情報を乗せた若しくは一体化した電波または赤外線（この「電波または赤外線」は、前記『伝達情報』を示す情報を前記名前及び画像の少なくとも一方を示す情報と一緒に乗せた若しくは一体化した「電波または赤外線」である場合と、前記『伝達情報』を示す情報を前記名前及び画像の少なくとも一方を示す情報は含まないように乗せた若しくは一体化した「電波または赤外線」である場合とがある。）を、「発信時におけるユーザーによる特別な操作」によることなく自動的に、且つ、近距離無線がカバーする範囲内の近傍に存在する他の電子生物生存装置にインターネットなどの公衆通信網を介することなく直接に届くように、近距離無線により発信する電波等発信手段と、
他の電子生物を生存させている他の電子生物生存装置から近距離無線により発信された前記電波または赤外線（この電波または赤外線には、前記名前及び画像の少なくとも一方を示す情報と前記『伝達情報』を示す情報とを一緒に乗せた又は一体化した「電波または赤外線」である場合と、前記名前及び画像の少なくとも一方を示す情報と前記『伝達情報』を示す情報とを別々に乗せた又は一体化した各「電波または赤外線」である場合とがある。）を、近距離無線によりインターネットなどの公衆通信網を介することなく直接に受信する電波等受信手段と、
前記電波等受信手段により受信された電波等に基づいて、前記他の電子生物の名前及び画像の少なくとも一方を、画面又は音声により出力する第１出力手段と、
前記電波等受信手段により受信された電波等に基づいて、前記他の電子生物からの『伝達情報』を、画面又は音声により出力する第２出力手段（この第２出力手段は、前記第１出力手段と同一のハードウェア若しくはソフトウェアにより実現されるもの、又は、前記第１出力手段により兼ねられるもの、であってもよい。）と、
を備えたことを特徴とする、ユーザーに携帯され又はユーザーの身体に装着される装置であってその内部に電子生物を生存させる携帯型電子生物生存装置。
【請求項３】
「（ａ）自装置の内部で生存または生活する電子生物（電子生物は「電子的人間キャラクタ」を含む。）が伝達主体となっており他の電子生物が伝達の相手方となっているメッセージ（ここでのメッセージとは、『或る電子生物から他の電子生物に伝達される、或る電子生物の思想、意思または感情を含む情報』をいう。）と、（ｂ）自装置の内部で生存または生活する電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、もしくは趣味などの『電子生物の思想、意思または感情そのものを含まない、事実情報』であって自装置の内部の電子生物が他の電子生物に伝達する事実情報（但し、ここでの事実情報は自装置の内部の電子生物の名前および画像の少なくとも一方を含まない。）と、を含む、伝達情報」の複数の候補であって、「自装置の内部の電子生物と他の電子生物生存装置の内部の他の電子生物との間の擬似的な『コミュニケーション、すなわち、交流または交流のための情報伝達』のために使用され、自装置の内部の電子生物が伝達の主体となっており他の電子生物生存装置の内部の他の電子生物が伝達の相手方となっている伝達情報」の複数の候補を、記録しておく伝達情報候補記録手段と、
他の電子生物生存装置の内部の他の電子生物に伝達する若しくは伝達しようとする『伝達情報』を、前記伝達情報候補記録手段に記録されている伝達情報の複数の候補の中から、「ユーザーによる事前の設定または選択時の操作」に基づいて、選択する伝達情報選択手段と、
「前記伝達情報選択手段により選択された『伝達情報』を示す情報を乗せた若しくは一体化した、電波または赤外線」を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する第１電波等発信手段と、
「自装置の内部の電子生物の名前及び画像の少なくとも一方を示す情報を乗せた若しくは一体化した、電波または赤外線」（この「電波または赤外線」は、前記名前及び画像の少なくとも一方を示す情報を前記『伝達情報』を示す情報と一緒に乗せた若しくは一体化した「電波または赤外線」である場合と、前記名前及び画像の少なくとも一方を示す情報を前記『伝達情報』を示す情報は含まないで乗せた若しくは一体化した「電波または赤外線」である場合とがある。）を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい。）と、
近傍のエリアにある他の電子生物生存装置から無線で発信された「電波または赤外線」を、近距離無線によりインターネットなどの公衆通信網を介することなく直接に受信する電波等受信手段と、
前記電波等受信手段により受信された「電波または赤外線」に基づいて、「前記他の電子生物からの『伝達情報』」及び「前記他の電子生物の名前及び画像の少なくとも一方」の少なくとも１つを、画面又は音声により出力する出力手段と、
を含むことを特徴とする、ユーザーに携帯され又はユーザーの身体に装着される装置であってその内部に電子生物を生存させる携帯型電子生物生存装置。
【請求項４】
自装置の内部で生存または生活する電子生物（電子生物は「電子的人間キャラクタ」を含む。）の名前及び画像の少なくとも一方と、「自装置の内部の電子生物と他の電子生物生存装置の内部の他の電子生物との間の擬似的な『コミュニケーション、すなわち、交流または交流のための情報伝達』のために使用される伝達情報（この伝達情報は、（ａ）『こんにちは』、『友達になりましょう』、『ジャンケンしよう』、又は『ＡＢＣ３回戦ゲームしよう』などのメッセージ（ここでのメッセージとは、電子生物から他の電子生物へ伝達される、電子生物の思想、感情または意思を含む情報をいう。）と、（ｂ）自装置の内部の電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、趣味、若しくはその他のプロフィールなどの事実情報（ここでの事実情報とは、電子生物から他の電子生物へ伝達される、電子生物の思想、感情または意思を含まない情報をいう。）とを含むが、上記（ｂ）の事実情報の一種である自装置の内部の電子生物の名前および画像の少なくとも一方は含まない。）
の複数の候補であって、自装置の内部の電子生物が伝達の主体となっており他の電子生物生存装置の内部の他の電子生物が伝達の相手方となっている伝達情報の複数の候補」とを、記録しておく伝達情報候補等記録手段と、
他の電子生物生存装置の内部の他の電子生物に伝達する若しくは伝達しようとする『伝達情報』を、前記伝達情報候補等記録手段に記録されている伝達情報の複数の候補の中から、「ユーザーによる事前の設定または選択時の操作」により又は「ユーザーによる事前の設定または選択時の操作」によることなく自動的に、選択する伝達情報選択手段と、
「前記伝達情報候補等記録手段に記録されている自装置の内部の電子生物の名前及び画像の少なくとも一方を示す情報と前記伝達情報選択手段により選択された『伝達情報』を示す情報とを乗せた若しくは一体化した、電波または赤外線」（この「電波または赤外線」は、前記名前及び画像の少なくとも一方を示す情報と前記『伝達情報』を示す情報とを一緒に乗せた若しくは一体化した「電波または赤外線」である場合と、前記名前及び画像の少なくとも一方を示す情報と前記『伝達情報』を示す情報とを別々に乗せた若しくは一体化した各「電波または赤外線」である場合とがある。）を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する電波等発信手段と、
他の電子生物を生存させている他の電子生物生存装置から近距離無線により発信された前記電波等を、近距離無線によりインターネットなどの公衆通信網を介することなく直接に受信する電波等受信手段と、
前記電波等受信手段により受信された電波等に基づいて、「前記他の電子生物の名前及び画像の少なくとも一方」及び「前記他の電子生物からの『伝達情報』」の少なくとも１つを、画面又は音声により出力する出力手段と、
を備えたことを特徴とする、ユーザーに携帯され又はユーザーの身体に装着される装置であってその内部に電子生物を生存させる携帯型電子生物生存装置。
【請求項５】
自装置の内部で生存または生活する電子生物（電子生物は「電子的人間キャラクタ」を含む。）の名前及び画像の少なくとも一方を記録しておく画像等記録手段と、
「自装置の内部の電子生物と他の電子生物生存装置の内部の他の電子生物との間の擬似的な『コミュニケーション、すなわち、交流または交流のための情報伝達』のために使用される伝達情報（この伝達情報は、（ａ）『こんにちは』、『友達になりましょう』、『ジャンケンしよう』、又は『ＡＢＣ３回戦ゲームしよう』などのメッセージ（ここでのメッセージとは、電子生物から他の電子生物へ伝達される、電子生物の思想、感情または意思を含む情報をいう。）と、（ｂ）自装置の内部の電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、趣味、若しくはその他のプロフィールなどの事実情報（ここでの事実情報とは、電子生物から他の電子生物へ伝達される、電子生物の思想、感情または意思を含まない情報をいう。）とを含むが、上記（ｂ）の事実情報の一種である自装置の内部の電子生物の名前および画像の少なくとも一方は含まない。）の複数の候補であって、自装置の内部の電子生物が伝達の主体となっており他の電子生物生存装置の内部の他の電子生物が伝達の相手方となっている伝達情報の複数の候補」を、記録しておく伝達情報候補記録手段（この伝達情報候補記録手段は、前記画像等記録手段と同一のハードウェアにより実現されるものであってもよい）と、
他の電子生物生存装置の内部の他の電子生物に伝達する若しくは伝達しようとする「伝達情報」を、前記伝達情報候補記録手段に記録されている伝達情報の複数の候補の中から、「ユーザーによる事前の設定または選択時の操作」により又は「ユーザーによる事前の設定または選択時の操作」によることなく自動的に、選択する伝達情報選択手段と、
前記画像等記録手段に記録されている自装置の内部の電子生物の名前及び画像の少なくとも一方を示す情報を乗せた若しくは一体化した電波または赤外線を、「発信時におけるユーザーによる特別な操作」によることなく自動的に、且つ、近距離無線がカバーする範囲内の近傍に存在する他の電子生物生存装置にインターネットなどの公衆通信網を介することなく直接に届くように、近距離無線により発信する第１電波等発信手段と、
前記伝達情報選択手段により選択された『伝達情報』を示す情報を乗せた若しくは一体化した電波または赤外線（この電波または赤外線には、前記『伝達情報』を示す情報を前記名前及び画像の少なくとも一方を示す情報と一緒に乗せた若しくは一体化した「電波または赤外線」である場合と、前記『伝達情報』を示す情報を前記名前もしくは画像を示す情報は含まないで乗せた若しくは一体化した「電波または赤外線」である場合とがある。）を、「発信時におけるユーザーによる特別な操作」によることなく自動的に、且つ、近距離無線がカバーする範囲内の近傍に存在する他の電子生物生存装置にインターネットなどの公衆通信網を介することなく直接に届くように、近距離無線により発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい。）と、
他の電子生物を生存させている他の電子生物生存装置から近距離無線により発信された前記電波または赤外線（この「電波または赤外線」は、前記名前及び画像の少なくとも一方を示す情報と前記『伝達情報』を示す情報とを一緒に乗せた又は一体化した「電波または赤外線」である場合と、前記名前及び画像の少なくとも一方を示す情報と前記『伝達情報』を示す情報とを別々に乗せた又は一体化した各「電波または赤外線」である場合とがある。）を、近距離無線によりインターネットなどの公衆通信網を介することなく直接に受信する電波等受信手段と、
前記電波等受信手段により受信された電波等に基づいて、前記他の電子生物の名前及び画像の少なくとも一方を、画面又は音声により出力する第１出力手段と、
前記電波等受信手段により受信された電波等に基づいて、前記他の電子生物からの前記『伝達情報』を、画面又は音声により出力する第２出力手段（この第２出力手段は、前記第１出力手段と同一のハードウェア若しくはソフトウェアにより実現されるもの、又は、前記第１出力手段により兼ねられるもの、であってもよい。）と、
を備えたことを特徴とする、ユーザーに携帯され又はユーザーの身体に装着される装置であってその内部に電子生物を生存させる携帯型電子生物生存装置。
【請求項６】
「（ａ）自装置の内部で生存または生活する電子生物（電子生物は「電子的人間キャラクタ」を含む。）が伝達主体となっており他の電子生物が伝達の相手方となっているメッセージ（ここでのメッセージとは、『或る電子生物から他の電子生物に伝達する、あたかも或る電子生物の思想、意思または感情を含んでいるかのようにユーザーから見える情報』をいう。）と、（ｂ）自装置の内部の電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、もしくは趣味などの『電子生物の思想、意思または感情そのものは含まない事実情報』であって自装置の内部の電子生物が他の電子生物に伝達する事実情報（但し、ここでの事実情報は自装置の内部の電子生物の名前および画像の少なくとも一方を含まない。）と、を含む、伝達情報」の複数の候補であって、「自装置の内部の電子生物と他の電子生物生存装置の内部の他の電子生物との間の擬似的な『交流または交流のための情報伝達』のために使用され、自装置の内部の電子生物が伝達の主体となっており他の電子生物生存装置の内部の他の電子生物が伝達の相手方となっている伝達情報」の複数の候補を、記録しておく伝達情報候補記録手段と、
他の電子生物生存装置の内部の他の電子生物に伝達する若しくは伝達しようとする『伝達情報』を、前記伝達情報候補記録手段に記録されている伝達情報の複数の候補の中から、「ユーザーによる事前の設定または選択時の操作」により又は「ユーザーによる事前の設定または選択時の操作」によることなく自動的に、選択する伝達情報選択手段と、
「前記伝達情報選択手段により選択された『伝達情報』を示す情報を乗せた又は一体化した、電波または赤外線」を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する第１電波等発信手段と、
「自装置の内部の電子生物の名前及び画像の少なくとも一方を示す情報を乗せた又は一体化した、電波または赤外線」（この電波または赤外線には、前記名前及び画像の少なくとも一方を示す情報を前記『伝達情報』を示す情報と一緒に乗せた若しくは一体化した「電波または赤外線」である場合と、前記名前及び画像の少なくとも一方を示す情報を前記『伝達情報』を示す情報は含まないで乗せた若しくは一体化した「電波または赤外線」である場合とがある。）を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい）と、
近傍のエリアにある他の電子生物生存装置から無線で発信された「電波または赤外線」を、近距離無線により、インターネットなどの公衆通信網を介することなく直接に、受信する電波等受信手段と、
前記電波等受信手段により受信された「電波または赤外線」に基づいて、「前記他の電子生物からの前記『伝達情報』」及び「前記他の電子生物の名前及び画像の少なくとも一方」の少なくとも１つを、画面又は音声により出力する出力手段と、
を含むことを特徴とする、ユーザーに携帯され又はユーザーの身体に装着される装置であってその内部に電子生物を生存させる携帯型電子生物生存装置。
【請求項７】
自装置の内部で生存または生活する電子生物（電子生物は「電子的人間キャラクタ」を含む。）の名前及び画像の少なくとも一方と、「自装置の内部の電子生物と他の電子生物生存装置の内部の他の電子生物との間の擬似的な『コミュニケーション、すなわち、交流または交流のための情報伝達』のために使用される伝達情報（この伝達情報は、（ａ）『こんにちは』、『友達になりましょう』、『ジャンケンしよう』、又は『ＡＢＣ３回戦ゲームしよう』などのメッセージ（ここでのメッセージとは、電子生物から他の電子生物へ伝達される、電子生物の思想、感情または意思を含む情報をいう。）と、（ｂ）自装置の内部の電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、趣味、若しくはその他のプロフィールなどの事実情報（ここでの事実情報とは、電子生物から他の電子生物へ伝達される、電子生物の思想、感情または意思を含まない情報をいう。）とを含むが、上記（ｂ）の事実情報の一種である自装置の内部の電子生物の名前および画像の少なくとも一方は含まない。）の複数の候補であって、自装置の内部の電子生物が伝達の主体となっており他の電子生物生存装置の内部の他の電子生物が伝達の相手方となっている伝達情報の複数の候補」とを、記録しておく伝達情報候補等記録手段と、
他の電子生物生存装置の内部の他の電子生物に伝達する若しくは伝達しようとする『伝達情報』を、前記伝達情報候補等記録手段に記録されている伝達情報の複数の候補の中から、「ユーザーによる事前の設定または選択時の操作」により又は「ユーザーによる事前の設定または選択時の操作」によることなく自動的に、選択する伝達情報選択手段と、
「前記伝達情報候補等記録手段に記録されている自装置の内部の電子生物の名前及び画像の少なくとも一方を示す情報と前記伝達情報選択手段により選択された『伝達情報』を示す情報とを乗せた若しくは一体化した、電波または赤外線」（この電波または赤外線には、前記名前及び画像の少なくとも一方を示す情報と前記『伝達情報』を示す情報とを一緒に乗せた若しくは一体化した「電波または赤外線」である場合と、前記名前及び画像の少なくとも一方を示す情報と前記『伝達情報』を示す情報とを別々に乗せた若しくは一体化した各「電波または赤外線」である場合とがある。）を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する電波等発信手段と、
他の電子生物を生存させている他の電子生物生存装置から近距離無線により発信された前記電波等を、近距離無線によりインターネットなどの公衆通信網を介することなく直接に受信する電波等受信手段と、
前記電波等受信手段により受信された電波等に基づいて、「前記他の電子生物の名前及び画像の少なくとも一方」及び「前記他の電子生物からの『伝達情報』」の少なくとも１つを、画面又は音声により出力する出力手段と、
を備えたことを特徴とする、ユーザーに携帯され又はユーザーの身体に装着される装置であってその内部に電子生物を生存させる携帯型電子生物生存装置。
【請求項８】
自装置の内部で生存または生活する電子生物（電子生物は「電子的人間キャラクタ」を含む。）の名前及び画像の少なくとも一方を記録しておく画像等記録手段と、
「自装置の内部の電子生物と他の電子生物生存装置の内部の他の電子生物との間の擬似的な『コミュニケーション、すなわち、交流または交流のための情報伝達』のために使用される伝達情報（この伝達情報は、（ａ）『こんにちは』、『友達になりましょう』、『ジャンケンしよう』、又は『ＡＢＣ３回戦ゲームしよう』などのメッセージ（ここでのメッセージとは、電子生物から他の電子生物へ伝達される、電子生物の思想、感情または意思を含む情報をいう。）と、（ｂ）自装置の内部の電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、趣味、若しくはその他のプロフィールなどの事実情報（ここでの事実情報とは、電子生物から他の電子生物へ伝達される、電子生物の思想、感情または意思を含まない情報をいう。）とを含むが、上記（ｂ）の事実情報の一種である自装置の内部の電子生物の名前および画像の少なくとも一方は含まない。）の複数の候補であって、自装置の内部の電子生物が伝達の主体となっており他の電子生物生存装置の内部の他の電子生物が伝達の相手方となっている伝達情報の複数の候補」を、記録しておく伝達情報候補記録手段（この伝達情報候補記録手段は、前記画像等記録手段と同一のハードウェアにより実現されるものであってもよい。）と、
他の電子生物生存装置の内部の他の電子生物に伝達する若しくは伝達しようとする『伝達情報』を、前記伝達情報候補記録手段に記録されている伝達情報の複数の候補の中から、「ユーザーによる事前の設定または選択時の操作」により又は「ユーザーによる事前の設定または選択時の操作」によることなく自動的に、選択する伝達情報選択手段と、
前記画像等記録手段に記録されている自装置の内部の電子生物の名前及び画像の少なくとも一方を示す情報を乗せた若しくは一体化した電波または赤外線を、「発信時におけるユーザーによる特別な操作」によることなく自動的に、且つ、近距離無線がカバーする範囲内の近傍に存在する他の電子生物生存装置にインターネットなどの公衆通信網を介することなく直接に届くように、近距離無線により発信する第１電波等発信手段と、
前記伝達情報選択手段により選択された『伝達情報』を示す情報を乗せた若しくは一体化した電波または赤外線（この電波または赤外線には、前記『伝達情報』を示す情報を前記名前及び画像の少なくとも一方を示す情報と一緒に乗せた又は一体化した「電波または赤外線」である場合と、前記『伝達情報』を示す情報を前記名前又は画像を示す情報は含めないように乗せた又は一体化した「電波または赤外線」である場合とがある。）を、「発信時におけるユーザーによる特別な操作」によることなく自動的に、且つ、近距離無線がカバーする範囲内の近傍に存在する他の電子生物生存装置にインターネットなどの公衆通信網を介することなく直接に届くように、近距離無線により発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい）と、
他の電子生物を生存させている他の電子生物生存装置から近距離無線により発信された前記電波または赤外線（この電波または赤外線には、前記名前及び画像の少なくとも一方を示す情報と前記『伝達情報』を示す情報とを一緒に乗せた又は一体化した「電波または赤外線」である場合と、前記名前及び画像の少なくとも一方を示す情報と前記『伝達情報』を示す情報とを別々に乗せた又は一体化した各「電波または赤外線」である場合とがある。）を、近距離無線によりインターネットなどの公衆通信網を介することなく直接に受信する電波等受信手段と、
前記電波等受信手段により受信された電波等に基づいて、前記他の電子生物の名前及び画像の少なくとも一方を、画面又は音声により出力する第１出力手段と、
前記電波等受信手段により受信された電波等に基づいて、前記他の電子生物からの『伝達情報』を、画面又は音声により出力する第２出力手段（この第２出力手段は、前記第１出力手段と同一のハードウェア若しくはソフトウェアにより実現されるもの、又は、前記第１出力手段により兼ねられるもの、であってもよい）と、
を備えたことを特徴とする、ユーザーに携帯され又はユーザーの身体に装着される装置であってその内部に電子生物を生存させる携帯型電子生物生存装置。
【請求項９】
「（ａ）自装置の内部で生存または生活する電子生物（電子生物は「電子的人間キャラクタ」を含む。）が伝達主体となっており他の電子生物が伝達の相手方となっているメッセージ（ここでのメッセージとは、或る電子生物から他の電子生物に伝達される、或る電子生物の思想、意思または感情を含む情報をいう。）と、（ｂ）自装置の内部で生存または生活する電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、もしくは趣味などの『電子生物の思想、意思または感情そのものは含まない事実情報』であって自装置の内部の電子生物が他の電子生物に伝達する事実情報（但し、ここでの事実情報は、自装置の内部の電子生物の名前および画像の少なくとも一方は含まない。）と、を含む、伝達情報」の複数の候補であって、
「自装置の内部の電子生物と他の電子生物生存装置の内部の他の電子生物との間の擬似的な『コミュニケーション、すなわち、交流または交流のための情報伝達』のために使用され、自装置の内部の電子生物が伝達の主体となっており他の電子生物生存装置の内部の他の電子生物が伝達の相手方となっている伝達情報」の複数の候補を、記録しておく伝達情報候補記録手段と、
他の電子生物生存装置の内部の他の電子生物に伝達する若しくは伝達しようとする『伝達情報』を、前記伝達情報候補記録手段に記録されている伝達情報の複数の候補の中から、「ユーザーによる事前の設定または選択時の操作」により又は「ユーザーによる事前の設定または選択時の操作」によることなく自動的に、選択する伝達情報選択手段と、
「前記伝達情報選択手段により選択された『伝達情報』を示す情報を乗せた若しくは一体化した、電波または赤外線」を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する第１電波等発信手段と、
「自装置の内部の電子生物の名前及び画像の少なくとも一方を示す情報を乗せた若しくは一体化した、電波または赤外線」（この電波または赤外線には、前記名前及び画像の少なくとも一方を示す情報を前記『伝達情報』を示す情報と一緒に乗せた若しくは一体化した「電波または赤外線」である場合と、前記名前及び画像の少なくとも一方を示す情報を前記『伝達情報』を示す情報は含まないように乗せた若しくは一体化した「電波または赤外線」である場合とがある。）を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい）と、
近傍のエリアにある他の電子生物生存装置から無線で発信された「電波または赤外線」を、近距離無線によりインターネットなどの公衆通信網を介することなく直接に受信する電波等受信手段と、
前記電波等受信手段により受信された「電波または赤外線」に基づいて、「前記他の電子生物からの『伝達情報』」及び「前記他の電子生物の名前及び画像の少なくとも一方」の少なくとも１つを、画面又は音声により出力する出力手段と、
を含むことを特徴とする、ユーザーに携帯され又はユーザーの身体に装着される装置であってその内部に電子生物を生存させる携帯型電子生物生存装置。
【請求項１０】
請求項１から９までのいずれかにおいて、
前記発信される「前記名前及び画像の少なくとも一方を示す情報及び／又は前記伝達情報を示す情報を乗せた若しくは一体化した電波または赤外線」は、前記発信側の電子生物又はその電子生物を生存させる装置の識別データと対応付けられたものであり、
他の電子生物からの名前及び画像の少なくとも一方を示す情報と他の電子生物からの伝達情報を示す情報と他の電子生物の識別データとが前記電波等受信手段により受信されたことに対応して、「自装置の内部の電子生物の名前及び画像の少なくとも一方を示す情報と自装置の内部の電子生物を伝達主体とする伝達情報の内容を示す情報とを乗せた若しくは一体化した、電波または赤外線」（この電波または赤外線は、前記名前及び画像の少なくとも一方を示す情報と前記『伝達情報』を示す情報とを一緒に乗せた若しくは一体化した「電波または赤外線」である場合と、前記名前及び画像の少なくとも一方を示す情報と前記『伝達情報』を示す情報とを別々に乗せた若しくは一体化した各「電波または赤外線」である場合とがある。）を、「発信時におけるユーザーによる特別な操作」によることなく自動的に、且つ、近距離無線がカバーする範囲内の近傍に存在する前記識別データに対応する他の電子生物生存装置にインターネットなどの公衆通信網を介することなく直接に届くように、近距離無線により発信する返信手段（この返信手段は、前記発信手段と同一のハードウェア若しくはソフトウェアにより実現されるものであってもよい。）を備えていることを特徴とする、ユーザーに携帯され又はユーザーの身体に装着される装置であってその内部に電子生物を生存させる携帯型電子生物生存装置。
【請求項１１】
請求項１から１０までのいずれかにおいて、
自装置が他の電子生物生存装置からの伝達情報を受信したとき、又は自装置が他の電子生物生存装置との間で伝達情報を送受信しているとき、そのことを光、音、または振動などによりユーザーに知らせる報知手段を備えた、ことを特徴とする、ユーザーに携帯され又はユーザーの身体に装着される装置であってその内部に電子生物を生存させる携帯型電子生物生存装置。
【請求項１２】
自装置の内部で生存または生活する電子生物（電子生物は「電子的人間キャラクタ」を含む。）の名前及び画像の少なくとも一方と、「自装置の内部の電子生物と他の電子生物生存装置の内部の他の電子生物との間の擬似的な『コミュニケーション、すなわち、交流または交流のための情報伝達』のために使用される伝達情報（前記伝達情報は、（ａ）『こんにちは』、『友達になりましょう』、『ジャンケンしよう』、又は『ＡＢＣ３回戦ゲームしよう』などのメッセージ（ここでのメッセージとは、電子生物から他の電子生物へ伝達される、電子生物の思想、感情または意思を含む情報をいう。）と、（ｂ）自装置の内部の電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、趣味、若しくはその他のプロフィールなどの事実情報（ここでの事実情報とは、電子生物から他の電子生物へ伝達される、電子生物の思想、感情または意思を含まない情報をいう。）とを含むが、上記（ｂ）の事実情報の一種である自装置の内部の電子生物の名前および画像の少なくとも一方は含まない。）の複数の候補であって、自装置の内部の電子生物が伝達の主体となっており他の電子生物生存装置の内部の他の電子生物が伝達の相手方となっている伝達情報の複数の候補」とを、記録しておく伝達情報候補等記録手段と、
他の電子生物生存装置の内部の他の電子生物に伝達する若しくは伝達しようとする『伝達情報』を、前記伝達情報候補等記録手段に記録されている伝達情報の複数の候補の中から、「ユーザーによる事前の設定または選択時の操作」に基づいて、選択する伝達情報選択手段と、
「前記伝達情報候補等記録手段に記録されている自装置の内部の電子生物の名前及び画像の少なくとも一方を示す情報と前記伝達情報選択手段により選択された『伝達情報』を示す情報とを乗せた若しくは一体化した、電波または赤外線」（この「電波または赤外線」は、前記名前及び画像の少なくとも一方を示す情報と前記『伝達情報』を示す情報とを一緒に乗せた若しくは一体化した「電波または赤外線」である場合と、前記名前及び画像の少なくとも一方を示す情報と前記『伝達情報』を示す情報とを別々に乗せた若しくは一体化した各「電波または赤外線」である場合とがある。）を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する電波等発信手段と、
他の電子生物を生存させている他の電子生物生存装置から近距離無線により発信された前記電波等を、近距離無線によりインターネットなどの公衆通信網を介することなく直接に、受信する電波等受信手段と、
前記電波等受信手段により受信された電波等に基づいて、「前記他の電子生物の名前及び画像の少なくとも一方」及び「前記他の電子生物からの『伝達情報』」の少なくとも１つを、画面又は音声により出力する出力手段と、
を備えたことを特徴とする、ユーザーに携帯され又はユーザーの身体に装着される装置であってその内部に電子生物を生存させる携帯型電子生物生存装置。
【請求項１３】
自装置の内部で生存または生活する電子生物（電子生物は「電子的人間キャラクタ」を含む。）の名前及び画像の少なくとも一方を記録しておく画像等記録手段と、
「自装置の内部の電子生物と他の電子生物生存装置の内部の他の電子生物との間の擬似的な『コミュニケーション、すなわち、交流または交流のための情報伝達』のために使用される伝達情報（ここでの伝達情報は、（ａ）『こんにちは』、『友達になりましょう』、『ジャンケンしよう』、又は『ＡＢＣ３回戦ゲームしよう』などのメッセージ（ここでのメッセージとは、電子生物から他の電子生物へ伝達される、電子生物の思想、感情または意思を含む情報をいう。）と、（ｂ）自装置の内部の電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、趣味、若しくはその他のプロフィールなどの事実情報（ここでの事実情報とは、電子生物から他の電子生物へ伝達される、電子生物の思想、感情、または意思を含まない情報をいう。）とを含むが、上記（ｂ）の事実情報の一種である自装置の内部の電子生物の名前および画像の少なくとも一方は含まない。）の複数の候補であって、自装置の内部の電子生物が伝達の主体となっており他の電子生物生存装置の内部の他の電子生物が伝達の相手方となっている伝達情報の複数の候補」を、記録しておく伝達情報候補記録手段（この伝達情報候補記録手段は、前記画像等記録手段と同一のハードウェアにより実現されるものであってもよい。）と、
他の電子生物生存装置の内部の他の電子生物に伝達する又は伝達しようとする『伝達情報』を、前記伝達情報候補記録手段に記録されている伝達情報の複数の候補の中から、「ユーザーによる事前の設定または選択時の操作」に基づいて、選択する伝達情報選択手段と、
前記画像等記録手段に記録されている自装置の内部の電子生物の名前及び画像の少なくとも一方を示す情報を乗せた若しくは一体化した電波または赤外線を、「発信時におけるユーザーによる特別な操作」によることなく自動的に、且つ近距離無線がカバーする範囲内の近傍に存在する他の電子生物生存装置にインターネットなどの公衆通信網を介することなく直接に届くように、近距離無線により発信する第１電波等発信手段と、
前記伝達情報選択手段により選択された『伝達情報』を示す情報を乗せた若しくは一体化した電波または赤外線（この「電波または赤外線」は、前記『伝達情報』を示す情報を前記名前及び画像の少なくとも一方を示す情報と一緒に乗せた若しくは一体化した「電波または赤外線」である場合と、前記『伝達情報』を示す情報を前記名前及び画像の少なくとも一方を示す情報は含まないように乗せた若しくは一体化した「電波または赤外線」である場合とがある。）を、「発信時におけるユーザーによる特別な操作」によることなく自動的に、且つ、近距離無線がカバーする範囲内の近傍に存在する他の電子生物生存装置にインターネットなどの公衆通信網を介することなく直接に届くように、近距離無線により発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい。）と、
他の電子生物を生存させている他の電子生物生存装置から近距離無線により発信された前記電波または赤外線（この電波または赤外線には、前記名前及び画像の少なくとも一方を示す情報と前記『伝達情報』を示す情報とを一緒に乗せた又は一体化した「電波または赤外線」である場合と、前記名前及び画像の少なくとも一方を示す情報と前記『伝達情報』を示す情報とを別々に乗せた又は一体化した各「電波または赤外線」である場合とがある。）を、近距離無線によりインターネットなどの公衆通信網を介することなく直接に受信する電波等受信手段と、
前記電波等受信手段により受信された電波等に基づいて、前記他の電子生物の名前及び画像の少なくとも一方を、画面又は音声により出力する第１出力手段と、
前記電波等受信手段により受信された電波等に基づいて、前記他の電子生物からの『伝達情報』を、画面又は音声により出力する第２出力手段（この第２出力手段は、前記第１出力手段と同一のハードウェア若しくはソフトウェアにより実現されるもの、又は、前記第１出力手段により兼ねられるもの、であってもよい。）と、
を備えたことを特徴とする、ユーザーに携帯され又はユーザーの身体に装着される装置であってその内部に電子生物を生存させる携帯型電子生物生存装置。
【請求項１４】
「（ａ）自装置の内部で生存または生活する電子生物（電子生物は「電子的人間キャラクタ」を含む。）が伝達主体となっており他の電子生物が伝達の相手方となっているメッセージ（ここでのメッセージとは、『或る電子生物から他の電子生物に伝達される、或る電子生物の思想、意思または感情を含む情報』をいう。）と、（ｂ）自装置の内部で生存または生活する電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、もしくは趣味などの『電子生物の思想、意思または感情そのものを含まない、事実情報』であって自装置の内部の電子生物が他の電子生物に伝達する事実情報（但し、ここでの事実情報は自装置の内部の電子生物の名前および画像の少なくとも一方を含まない。）と、を含む、伝達情報」の複数の候補であって、「自装置の内部の電子生物と他の電子生物生存装置の内部の他の電子生物との間の擬似的な『コミュニケーション、すなわち、交流または交流のための情報伝達』のために使用され、自装置の内部の電子生物が伝達の主体となっており他の電子生物生存装置の内部の他の電子生物が伝達の相手方となっている伝達情報」の複数の候補を、記録しておく伝達情報候補記録手段と、
他の電子生物生存装置の内部の他の電子生物に伝達する若しくは伝達しようとする『伝達情報』を、前記伝達情報候補記録手段に記録されている伝達情報の複数の候補の中から、「ユーザーによる事前の設定または選択時の操作」に基づいて、選択する伝達情報選択手段と、
「前記伝達情報選択手段により選択された『伝達情報』を示す情報を乗せた若しくは一体化した、電波または赤外線」を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する第１電波等発信手段と、
「自装置の内部の電子生物の名前及び画像の少なくとも一方を示す情報を乗せた若しくは一体化した、電波または赤外線」（この「電波または赤外線」は、前記名前及び画像の少なくとも一方を示す情報を前記『伝達情報』を示す情報と一緒に乗せた若しくは一体化した「電波または赤外線」である場合と、前記名前及び画像の少なくとも一方を示す情報を前記『伝達情報』を示す情報は含まないで乗せた若しくは一体化した「電波または赤外線」である場合とがある。）を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい。）と、
近傍のエリアにある他の電子生物生存装置から無線で発信された「電波または赤外線」を、近距離無線によりインターネットなどの公衆通信網を介することなく直接に受信する電波等受信手段と、
前記電波等受信手段により受信された「電波または赤外線」に基づいて、「前記他の電子生物からの『伝達情報』」及び「前記他の電子生物の名前及び画像の少なくとも一方」の少なくとも１つを、画面又は音声により出力する出力手段と、
を含むことを特徴とする、ユーザーに携帯され又はユーザーの身体に装着される装置であってその内部に電子生物を生存させる携帯型電子生物生存装置。
【請求項１５】
自装置の内部で生存または生活する電子生物（電子生物は「電子的人間キャラクタ」を含む。）の名前及び画像の少なくとも一方と、「自装置の内部の電子生物と他の電子生物生存装置の内部の他の電子生物との間の擬似的な『コミュニケーション、すなわち、交流または交流のための情報伝達』のために使用される伝達情報（この伝達情報は、（ａ）『こんにちは』、『友達になりましょう』、『ジャンケンしよう』、又は『ＡＢＣ３回戦ゲームしよう』などのメッセージ（ここでのメッセージとは、電子生物から他の電子生物へ伝達される、電子生物の思想、感情または意思を含む情報をいう。）と、（ｂ）自装置の内部の電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、趣味、若しくはその他のプロフィールなどの事実情報（ここでの事実情報とは、電子生物から他の電子生物へ伝達される、電子生物の思想、感情または意思を含まない情報をいう。）とを含むが、上記（ｂ）の事実情報の一種である自装置の内部の電子生物の名前および画像の少なくとも一方は含まない。）
の複数の候補であって、自装置の内部の電子生物が伝達の主体となっており他の電子生物生存装置の内部の他の電子生物が伝達の相手方となっている伝達情報の複数の候補」とを、記録しておく伝達情報候補等記録手段と、
他の電子生物生存装置の内部の他の電子生物に伝達する若しくは伝達しようとする『伝達情報』を、前記伝達情報候補等記録手段に記録されている伝達情報の複数の候補の中から、「ユーザーによる事前の設定または選択時の操作」により又は「ユーザーによる事前の設定または選択時の操作」によることなく自動的に、選択する伝達情報選択手段と、
「前記伝達情報候補等記録手段に記録されている自装置の内部の電子生物の名前及び画像の少なくとも一方を示す情報と前記伝達情報選択手段により選択された『伝達情報』を示す情報とを乗せた若しくは一体化した、電波または赤外線」（この「電波または赤外線」は、前記名前及び画像の少なくとも一方を示す情報と前記『伝達情報』を示す情報とを一緒に乗せた若しくは一体化した「電波または赤外線」である場合と、前記名前及び画像の少なくとも一方を示す情報と前記『伝達情報』を示す情報とを別々に乗せた若しくは一体化した各「電波または赤外線」である場合とがある。）を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する電波等発信手段と、
他の電子生物を生存させている他の電子生物生存装置から近距離無線により発信された前記電波等を、近距離無線によりインターネットなどの公衆通信網を介することなく直接に受信する電波等受信手段と、
前記電波等受信手段により受信された電波等に基づいて、「前記他の電子生物の名前及び画像の少なくとも一方」及び「前記他の電子生物からの『伝達情報』」の少なくとも１つを、画面又は音声により出力する出力手段と、
を備えたことを特徴とする、ユーザーに携帯され又はユーザーの身体に装着される装置であってその内部に電子生物を生存させる携帯型電子生物生存装置。
【請求項１６】
自装置の内部で生存または生活する電子生物（電子生物は「電子的人間キャラクタ」を含む。）の名前及び画像の少なくとも一方を記録しておく画像等記録手段と、
「自装置の内部の電子生物と他の電子生物生存装置の内部の他の電子生物との間の擬似的な『コミュニケーション、すなわち、交流または交流のための情報伝達』のために使用される伝達情報（この伝達情報は、（ａ）『こんにちは』、『友達になりましょう』、『ジャンケンしよう』、又は『ＡＢＣ３回戦ゲームしよう』などのメッセージ（ここでのメッセージとは、電子生物から他の電子生物へ伝達される、電子生物の思想、感情または意思を含む情報をいう。）と、（ｂ）自装置の内部の電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、趣味、若しくはその他のプロフィールなどの事実情報（ここでの事実情報とは、電子生物から他の電子生物へ伝達される、電子生物の思想、感情または意思を含まない情報をいう。）とを含むが、上記（ｂ）の事実情報の一種である自装置の内部の電子生物の名前および画像の少なくとも一方は含まない。）の複数の候補であって、自装置の内部の電子生物が伝達の主体となっており他の電子生物生存装置の内部の他の電子生物が伝達の相手方となっている伝達情報の複数の候補」を、記録しておく伝達情報候補記録手段（この伝達情報候補記録手段は、前記画像等記録手段と同一のハードウェアにより実現されるものであってもよい）と、
他の電子生物生存装置の内部の他の電子生物に伝達する若しくは伝達しようとする「伝達情報」を、前記伝達情報候補記録手段に記録されている伝達情報の複数の候補の中から、「ユーザーによる事前の設定または選択時の操作」により又は「ユーザーによる事前の設定または選択時の操作」によることなく自動的に、選択する伝達情報選択手段と、
前記画像等記録手段に記録されている自装置の内部の電子生物の名前及び画像の少なくとも一方を示す情報を乗せた若しくは一体化した電波または赤外線を、「発信時におけるユーザーによる特別な操作」によることなく自動的に、且つ、近距離無線がカバーする範囲内の近傍に存在する他の電子生物生存装置にインターネットなどの公衆通信網を介することなく直接に届くように、近距離無線により発信する第１電波等発信手段と、
前記伝達情報選択手段により選択された『伝達情報』を示す情報を乗せた若しくは一体化した電波または赤外線（この電波または赤外線には、前記『伝達情報』を示す情報を前記名前及び画像の少なくとも一方を示す情報と一緒に乗せた若しくは一体化した「電波または赤外線」である場合と、前記『伝達情報』を示す情報を前記名前もしくは画像を示す情報は含まないで乗せた若しくは一体化した「電波または赤外線」である場合とがある。）を、「発信時におけるユーザーによる特別な操作」によることなく自動的に、且つ、近距離無線がカバーする範囲内の近傍に存在する他の電子生物生存装置にインターネットなどの公衆通信網を介することなく直接に届くように、近距離無線により発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい。）と、
他の電子生物を生存させている他の電子生物生存装置から近距離無線により発信された前記電波または赤外線（この「電波または赤外線」は、前記名前及び画像の少なくとも一方を示す情報と前記『伝達情報』を示す情報とを一緒に乗せた又は一体化した「電波または赤外線」である場合と、前記名前及び画像の少なくとも一方を示す情報と前記『伝達情報』を示す情報とを別々に乗せた又は一体化した各「電波または赤外線」である場合とがある。）を、近距離無線によりインターネットなどの公衆通信網を介することなく直接に受信する電波等受信手段と、
前記電波等受信手段により受信された電波等に基づいて、前記他の電子生物の名前及び画像の少なくとも一方を、画面又は音声により出力する第１出力手段と、
前記電波等受信手段により受信された電波等に基づいて、前記他の電子生物からの前記『伝達情報』を、画面又は音声により出力する第２出力手段（この第２出力手段は、前記第１出力手段と同一のハードウェア若しくはソフトウェアにより実現されるもの、又は、前記第１出力手段により兼ねられるもの、であってもよい。）と、
を備えたことを特徴とする、ユーザーに携帯され又はユーザーの身体に装着される装置であってその内部に電子生物を生存させる携帯型電子生物生存装置。
【請求項１７】
「（ａ）自装置の内部で生存または生活する電子生物（電子生物は「電子的人間キャラクタ」を含む。）が伝達主体となっており他の電子生物が伝達の相手方となっているメッセージ（ここでのメッセージとは、『或る電子生物から他の電子生物に伝達する、あたかも或る電子生物の思想、意思または感情を含んでいるかのようにユーザーから見える情報』をいう。）と、（ｂ）自装置の内部の電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、もしくは趣味などの『電子生物の思想、意思または感情そのものは含まない事実情報』であって自装置の内部の電子生物が他の電子生物に伝達する事実情報（但し、ここでの事実情報は自装置の内部の電子生物の名前および画像の少なくとも一方を含まない。）と、を含む、伝達情報」の複数の候補であって、「自装置の内部の電子生物と他の電子生物生存装置の内部の他の電子生物との間の擬似的な『交流または交流のための情報伝達』のために使用され、自装置の内部の電子生物が伝達の主体となっており他の電子生物生存装置の内部の他の電子生物が伝達の相手方となっている伝達情報」の複数の候補を、記録しておく伝達情報候補記録手段と、
他の電子生物生存装置の内部の他の電子生物に伝達する若しくは伝達しようとする『伝達情報』を、前記伝達情報候補記録手段に記録されている伝達情報の複数の候補の中から、「ユーザーによる事前の設定または選択時の操作」により又は「ユーザーによる事前の設定または選択時の操作」によることなく自動的に、選択する伝達情報選択手段と、
「前記伝達情報選択手段により選択された『伝達情報』を示す情報を乗せた又は一体化した、電波または赤外線」を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する第１電波等発信手段と、
「自装置の内部の電子生物の名前及び画像の少なくとも一方を示す情報を乗せた又は一体化した、電波または赤外線」（この電波または赤外線には、前記名前及び画像の少なくとも一方を示す情報を前記『伝達情報』を示す情報と一緒に乗せた若しくは一体化した「電波または赤外線」である場合と、前記名前及び画像の少なくとも一方を示す情報を前記『伝達情報』を示す情報は含まないで乗せた若しくは一体化した「電波または赤外線」である場合とがある。）を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい）と、
近傍のエリアにある他の電子生物生存装置から無線で発信された「電波または赤外線」を、近距離無線により、インターネットなどの公衆通信網を介することなく直接に、受信する電波等受信手段と、
前記電波等受信手段により受信された「電波または赤外線」に基づいて、「前記他の電子生物からの前記『伝達情報』」及び「前記他の電子生物の名前及び画像の少なくとも一方」の少なくとも１つを、画面又は音声により出力する出力手段と、
を含むことを特徴とする、ユーザーに携帯され又はユーザーの身体に装着される装置であってその内部に電子生物を生存させる携帯型電子生物生存装置。
【請求項１８】
自装置の内部で生存または生活する電子生物（電子生物は「電子的人間キャラクタ」を含む。）の名前及び画像の少なくとも一方と、「自装置の内部の電子生物と他の電子生物生存装置の内部の他の電子生物との間の擬似的な『コミュニケーション、すなわち、交流または交流のための情報伝達』のために使用される伝達情報（この伝達情報は、（ａ）『こんにちは』、『友達になりましょう』、『ジャンケンしよう』、又は『ＡＢＣ３回戦ゲームしよう』などのメッセージ（ここでのメッセージとは、電子生物から他の電子生物へ伝達される、電子生物の思想、感情または意思を含む情報をいう。）と、（ｂ）自装置の内部の電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、趣味、若しくはその他のプロフィールなどの事実情報（ここでの事実情報とは、電子生物から他の電子生物へ伝達される、電子生物の思想、感情または意思を含まない情報をいう。）とを含むが、上記（ｂ）の事実情報の一種である自装置の内部の電子生物の名前および画像の少なくとも一方は含まない。）の複数の候補であって、自装置の内部の電子生物が伝達の主体となっており他の電子生物生存装置の内部の他の電子生物が伝達の相手方となっている伝達情報の複数の候補」とを、記録しておく伝達情報候補等記録手段と、
他の電子生物生存装置の内部の他の電子生物に伝達する若しくは伝達しようとする『伝達情報』を、前記伝達情報候補等記録手段に記録されている伝達情報の複数の候補の中から、「ユーザーによる事前の設定または選択時の操作」により又は「ユーザーによる事前の設定または選択時の操作」によることなく自動的に、選択する伝達情報選択手段と、
「前記伝達情報候補等記録手段に記録されている自装置の内部の電子生物の名前及び画像の少なくとも一方を示す情報と前記伝達情報選択手段により選択された『伝達情報』を示す情報とを乗せた若しくは一体化した、電波または赤外線」（この電波または赤外線には、前記名前及び画像の少なくとも一方を示す情報と前記『伝達情報』を示す情報とを一緒に乗せた若しくは一体化した「電波または赤外線」である場合と、前記名前及び画像の少なくとも一方を示す情報と前記『伝達情報』を示す情報とを別々に乗せた若しくは一体化した各「電波または赤外線」である場合とがある。）を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する電波等発信手段と、
他の電子生物を生存させている他の電子生物生存装置から近距離無線により発信された前記電波等を、近距離無線によりインターネットなどの公衆通信網を介することなく直接に受信する電波等受信手段と、
前記電波等受信手段により受信された電波等に基づいて、「前記他の電子生物の名前及び画像の少なくとも一方」及び「前記他の電子生物からの『伝達情報』」の少なくとも１つを、画面又は音声により出力する出力手段と、
を備えたことを特徴とする、ユーザーに携帯され又はユーザーの身体に装着される装置であってその内部に電子生物を生存させる携帯型電子生物生存装置。
【請求項１９】
自装置の内部で生存または生活する電子生物（電子生物は「電子的人間キャラクタ」を含む。）の名前及び画像の少なくとも一方を記録しておく画像等記録手段と、
「自装置の内部の電子生物と他の電子生物生存装置の内部の他の電子生物との間の擬似的な『コミュニケーション、すなわち、交流または交流のための情報伝達』のために使用される伝達情報（この伝達情報は、（ａ）『こんにちは』、『友達になりましょう』、『ジャンケンしよう』、又は『ＡＢＣ３回戦ゲームしよう』などのメッセージ（ここでのメッセージとは、電子生物から他の電子生物へ伝達される、電子生物の思想、感情または意思を含む情報をいう。）と、（ｂ）自装置の内部の電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、趣味、若しくはその他のプロフィールなどの事実情報（ここでの事実情報とは、電子生物から他の電子生物へ伝達される、電子生物の思想、感情または意思を含まない情報をいう。）とを含むが、上記（ｂ）の事実情報の一種である自装置の内部の電子生物の名前および画像の少なくとも一方は含まない。）の複数の候補であって、自装置の内部の電子生物が伝達の主体となっており他の電子生物生存装置の内部の他の電子生物が伝達の相手方となっている伝達情報の複数の候補」を、記録しておく伝達情報候補記録手段（この伝達情報候補記録手段は、前記画像等記録手段と同一のハードウェアにより実現されるものであってもよい。）と、
他の電子生物生存装置の内部の他の電子生物に伝達する若しくは伝達しようとする『伝達情報』を、前記伝達情報候補記録手段に記録されている伝達情報の複数の候補の中から、「ユーザーによる事前の設定または選択時の操作」により又は「ユーザーによる事前の設定または選択時の操作」によることなく自動的に、選択する伝達情報選択手段と、
前記画像等記録手段に記録されている自装置の内部の電子生物の名前及び画像の少なくとも一方を示す情報を乗せた若しくは一体化した電波または赤外線を、「発信時におけるユーザーによる特別な操作」によることなく自動的に、且つ、近距離無線がカバーする範囲内の近傍に存在する他の電子生物生存装置にインターネットなどの公衆通信網を介することなく直接に届くように、近距離無線により発信する第１電波等発信手段と、
前記伝達情報選択手段により選択された『伝達情報』を示す情報を乗せた若しくは一体化した電波または赤外線（この電波または赤外線には、前記『伝達情報』を示す情報を前記名前及び画像の少なくとも一方を示す情報と一緒に乗せた又は一体化した「電波または赤外線」である場合と、前記『伝達情報』を示す情報を前記名前又は画像を示す情報は含めないように乗せた又は一体化した「電波または赤外線」である場合とがある。）を、「発信時におけるユーザーによる特別な操作」によることなく自動的に、且つ、近距離無線がカバーする範囲内の近傍に存在する他の電子生物生存装置にインターネットなどの公衆通信網を介することなく直接に届くように、近距離無線により発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい）と、
他の電子生物を生存させている他の電子生物生存装置から近距離無線により発信された前記電波または赤外線（この電波または赤外線には、前記名前及び画像の少なくとも一方を示す情報と前記『伝達情報』を示す情報とを一緒に乗せた又は一体化した「電波または赤外線」である場合と、前記名前及び画像の少なくとも一方を示す情報と前記『伝達情報』を示す情報とを別々に乗せた又は一体化した各「電波または赤外線」である場合とがある。）を、近距離無線によりインターネットなどの公衆通信網を介することなく直接に受信する電波等受信手段と、
前記電波等受信手段により受信された電波等に基づいて、前記他の電子生物の名前及び画像の少なくとも一方を、画面又は音声により出力する第１出力手段と、
前記電波等受信手段により受信された電波等に基づいて、前記他の電子生物からの『伝達情報』を、画面又は音声により出力する第２出力手段（この第２出力手段は、前記第１出力手段と同一のハードウェア若しくはソフトウェアにより実現されるもの、又は、前記第１出力手段により兼ねられるもの、であってもよい）と、
を備えたことを特徴とする、ユーザーに携帯され又はユーザーの身体に装着される装置であってその内部に電子生物を生存させる携帯型電子生物生存装置。
【請求項２０】
「（ａ）自装置の内部で生存または生活する電子生物（電子生物は「電子的人間キャラクタ」を含む。）が伝達主体となっており他の電子生物が伝達の相手方となっているメッセージ（ここでのメッセージとは、或る電子生物から他の電子生物に伝達される、或る電子生物の思想、意思または感情を含む情報をいう。）と、（ｂ）自装置の内部で生存または生活する電子生物の鳴き声、誕生日、星座、血液型、年齢、好きな食べ物、好きな遊び、若しくはその他のプロフィール、又は、ジャンケン・ゲームにおけるグー、チョキ及びパーのいずれか１つ若しくはＡＢＣ３回戦ゲームにおけるＡ、Ｂ及びＣのいずれか１つ、又は、自装置の内部の電子生物を管理するユーザーの誕生日、年齢、星座、血液型、もしくは趣味などの『電子生物の思想、意思または感情そのものは含まない事実情報』であって自装置の内部の電子生物が他の電子生物に伝達する事実情報（但し、ここでの事実情報は、自装置の内部の電子生物の名前および画像の少なくとも一方は含まない。）と、を含む、伝達情報」の複数の候補であって、
「自装置の内部の電子生物と他の電子生物生存装置の内部の他の電子生物との間の擬似的な『コミュニケーション、すなわち、交流または交流のための情報伝達』のために使用され、自装置の内部の電子生物が伝達の主体となっており他の電子生物生存装置の内部の他の電子生物が伝達の相手方となっている伝達情報」の複数の候補を、記録しておく伝達情報候補記録手段と、
他の電子生物生存装置の内部の他の電子生物に伝達する若しくは伝達しようとする『伝達情報』を、前記伝達情報候補記録手段に記録されている伝達情報の複数の候補の中から、「ユーザーによる事前の設定または選択時の操作」により又は「ユーザーによる事前の設定または選択時の操作」によることなく自動的に、選択する伝達情報選択手段と、
「前記伝達情報選択手段により選択された『伝達情報』を示す情報を乗せた若しくは一体化した、電波または赤外線」を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する第１電波等発信手段と、
「自装置の内部の電子生物の名前及び画像の少なくとも一方を示す情報を乗せた若しくは一体化した、電波または赤外線」（この電波または赤外線には、前記名前及び画像の少なくとも一方を示す情報を前記『伝達情報』を示す情報と一緒に乗せた若しくは一体化した「電波または赤外線」である場合と、前記名前及び画像の少なくとも一方を示す情報を前記『伝達情報』を示す情報は含まないように乗せた若しくは一体化した「電波または赤外線」である場合とがある。）を、「発信時におけるユーザーによる特別な操作」によることなく自動的に、且つ、近距離無線がカバーする範囲内の近傍に存在する他の携帯型電子生物生存装置にインターネットなどの公衆通信網を介することなく直接に届くように、近距離無線により発信する第２電波等発信手段（この第２電波等発信手段は、前記第１電波等発信手段と同一のハードウェア若しくはソフトウェアにより実現されるもの、又は、前記第１電波等発信手段により兼ねられるもの、であってもよい）と、
近傍のエリアにある他の電子生物生存装置から無線で発信された「電波または赤外線」を、近距離無線によりインターネットなどの公衆通信網を介することなく直接に受信する電波等受信手段と、
前記電波等受信手段により受信された「電波または赤外線」に基づいて、「前記他の電子生物からの『伝達情報』」及び「前記他の電子生物の名前及び画像の少なくとも一方」の少なくとも１つを、画面又は音声により出力する出力手段と、
を含むことを特徴とする、ユーザーに携帯され又はユーザーの身体に装着される装置であってその内部に電子生物を生存させる携帯型電子生物生存装置。
【請求項２１】
請求項１２から２０までのいずれかにおいて、
前記発信される「前記名前及び画像の少なくとも一方を示す情報及び／又は前記伝達情報を示す情報を乗せた若しくは一体化した電波または赤外線」は、前記発信側の電子生物又はその電子生物を生存させる装置の識別データと対応付けられたものであり、
他の電子生物からの名前及び画像の少なくとも一方を示す情報と他の電子生物からの伝達情報を示す情報と他の電子生物の識別データとが前記電波等受信手段により受信されたことに対応して、「自装置の内部の電子生物の名前及び画像の少なくとも一方を示す情報と自装置の内部の電子生物を伝達主体とする伝達情報の内容を示す情報とを乗せた若しくは一体化した、電波または赤外線」（この電波または赤外線は、前記名前及び画像の少なくとも一方を示す情報と前記『伝達情報』を示す情報とを一緒に乗せた若しくは一体化した「電波または赤外線」である場合と、前記名前及び画像の少なくとも一方を示す情報と前記『伝達情報』を示す情報とを別々に乗せた若しくは一体化した各「電波または赤外線」である場合とがある。）を、「発信時におけるユーザーによる特別な操作」によることなく自動的に、且つ、近距離無線がカバーする範囲内の近傍に存在する前記識別データに対応する他の電子生物生存装置にインターネットなどの公衆通信網を介することなく直接に届くように、近距離無線により発信する返信手段（この返信手段は、前記発信手段と同一のハードウェア若しくはソフトウェアにより実現されるものであってもよい。）を備えていることを特徴とする、ユーザーに携帯され又はユーザーの身体に装着される装置であってその内部に電子生物を生存させる携帯型電子生物生存装置。
【請求項２２】
請求項１２から２１までのいずれかにおいて、
自装置が他の電子生物生存装置からの伝達情報を受信したとき、又は自装置が他の電子生物生存装置との間で伝達情報を送受信しているとき、そのことを光、音、または振動などによりユーザーに知らせる報知手段を備えた、ことを特徴とする、ユーザーに携帯され又はユーザーの身体に装着される装置であってその内部に電子生物を生存させる携帯型電子生物生存装置。
【請求項２３】
「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージと、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、「後記の電波等の発信の前に行われる、ユーザーによる操作もしくは設定」に基づいて、選択する伝達情報選択手段と、
「前記伝達情報選択手段により選択された『伝達情報』を示す情報を乗せた若しくは一体化した、電波もしくは赤外線」を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する電波等発信手段と、
他の電子生物を生存させている他の電子生物生存装置から近距離無線により発信された前記電波等を、近距離無線により直接に(インターネットなどの公衆通信網を介することなく)受信する電波等受信手段と、
前記電波等受信手段により受信された電波等に基づいて、前記他の電子生物からの『伝達情報』を、画面又は音声により出力する出力手段と、
を備えたことを特徴とする、ユーザーに携帯され若しくはユーザーの身体に装着されており、その内部に電子生物を生存させている携帯型電子生物生存装置。
【請求項２４】
「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージと、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、「後記の電波等の発信の前に行われる、ユーザーによる操作もしくは設定」に基づいて、選択する伝達情報選択手段と、
前記伝達情報選択手段により選択された『伝達情報』を示す情報を乗せた若しくは一体化した電波もしくは赤外線を、近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する電波等発信手段と、
他の電子生物を生存させている他の電子生物生存装置から近距離無線により発信された前記電波もしくは赤外線を、近距離無線により直接に(インターネットなどの公衆通信網を介することなく)受信する電波等受信手段と、
前記電波等受信手段により受信された電波等に基づいて、前記他の電子生物からの『伝達情報』を、画面又は音声により出力する出力手段と、
を備えたことを特徴とする、ユーザーに携帯され若しくはユーザーの身体に装着されており、その内部に電子生物を生存させている携帯型電子生物生存装置。
【請求項２５】
「（ａ）或る電子生物が伝達主体となっており他の電子生物が伝達の相手方となっているメッセージ（この項においてメッセージとは、『或る電子生物から他の電子生物に伝達する、あたかも或る電子生物の思想、意思、もしくは感情を含んでいるかのようにユーザーから見える情報』をいう）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、もしくは趣味などの『電子生物の思想、意思、もしくは感情そのものは含んでいない事実情報』であって自ら（電子生物）が他の電子生物に伝達する事実情報（但し、電子生物の名前および画像を除く）と、を含む、伝達情報」の複数の候補であって、
「自装置の内部の電子生物と他の電子生物生存装置の内部の他の電子生物との間の擬似的な『コミュニケーション（交流もしくは交流のための情報伝達）』のために使用され、自装置の内部の電子生物が伝達の主体となっており他の電子生物生存装置の内部の他の電子生物が伝達の相手方となっている伝達情報」の複数の候補を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、「後記の電波等の発信の前に行われる、ユーザーによる操作もしくは設定」に基づいて、選択する伝達情報選択手段と、
「前記伝達情報選択手段により選択された『伝達情報』を示す情報を乗せた若しくは一体化した、電波もしくは赤外線」を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する電波等発信手段と、
近傍のエリアにある他の電子生物生存装置から無線で発信された「電波もしくは赤外線」を、近距離無線により直接に(インターネットなどの公衆通信網を介することなく)受信する電波等受信手段と、
前記電波等受信手段により受信された「電波もしくは赤外線」に基づいて、「前記他の電子生物からの『伝達情報』」を、画面又は音声により出力する出力手段と、
を含むことを特徴とする、ユーザーに携帯され若しくはユーザーの身体に装着されており、その内部に電子生物を生存させている携帯型電子生物生存装置。
【請求項２６】
「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージと、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、自動的に又は「後記の電波等の発信の前に行われる、ユーザーによる操作もしくは設定」に基づいて、選択する伝達情報選択手段と、
「前記伝達情報選択手段により選択された『伝達情報』を示す情報を乗せた若しくは一体化した、電波もしくは赤外線」を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する電波等発信手段と、
他の電子生物を生存させている他の電子生物生存装置から近距離無線により発信された前記電波等を、近距離無線により直接に(インターネットなどの公衆通信網を介することなく)受信する電波等受信手段と、
前記電波等受信手段により受信された電波等に基づいて、前記他の電子生物からの『伝達情報』を、画面又は音声により出力する出力手段と、
を備えたことを特徴とする、ユーザーに携帯され若しくはユーザーの身体に装着されており、その内部に電子生物を生存させている携帯型電子生物生存装置。
【請求項２７】
「自装置の内部の電子生物と他の電子生物生存装置の内部の他の電子生物との間の擬似的な『コミュニケーション（交流もしくは交流のための情報伝達）』のために使用される伝達情報（（ａ）『こんにちは』、『友達になりましょう』、『ジャンケンしよう』、又は『ＡＢＣ３回戦ゲームしよう』などのメッセージと、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、趣味、若しくはその他のプロフィールなどの事実情報と、を含む。但し、上記（ｂ）の事実情報の一種である自ら（電子生物）の名前および画像は除く）の複数の候補であって、自装置の内部の電子生物が伝達の主体となっており他の電子生物生存装置の内部の他の電子生物が伝達の相手方となっている伝達情報の複数の候補」を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、自動的に又は「後記の電波等の発信の前に行われる、ユーザーによる操作もしくは設定」に基づいて、選択する伝達情報選択手段と、
前記伝達情報選択手段により選択された『伝達情報』を示す情報を乗せた若しくは一体化した電波もしくは赤外線を、近距離無線がカバーする範囲内の近傍に存在する他の電子生物生存装置に直接に(インターネットなどの公衆通信網を介することなく)届くように、自動的に（「発信時におけるユーザーによる特別な操作」を介することなく）、近距離無線により発信する電波等発信手段と、
他の電子生物を生存させている他の電子生物生存装置から近距離無線により発信された前記電波もしくは赤外線を、近距離無線により直接に(インターネットなどの公衆通信網を介することなく)受信する電波等受信手段と、
前記電波等受信手段により受信された電波等に基づいて、前記他の電子生物からの『伝達情報』を、画面又は音声により出力する出力手段と、
を備えたことを特徴とする、ユーザーに携帯され若しくはユーザーの身体に装着されており、その内部に電子生物を生存させている携帯型電子生物生存装置。
【請求項２８】
「（ａ）或る電子生物が伝達主体となっており他の電子生物が伝達の相手方となっているメッセージ（この項においてメッセージとは、『或る電子生物から他の電子生物に伝達する、あたかも或る電子生物の思想、意思、もしくは感情を含んでいるかのようにユーザーから見える情報』をいう）と、（ｂ）自ら（電子生物）の鳴き声、誕生日、星座、血液型、年齢、好きな食べ物、好きな遊び、若しくはその他のプロフィール、又は、ジャンケン・ゲームにおけるグー（もしくはチョキ、もしくはパー）若しくはＡＢＣ３回戦ゲームにおけるＡ（もしくはＢ、もしくはＣ）、又は、自ら（電子生物）の飼い主の誕生日、年齢、星座、血液型、もしくは趣味などの『電子生物の思想、意思、もしくは感情そのものは含んでいない事実情報』であって自ら（電子生物）が他の電子生物に伝達する事実情報（但し、電子生物の名前および画像を除く）と、を含む、伝達情報」の複数の候補であって、
「自装置の内部の電子生物と他の電子生物生存装置の内部の他の電子生物との間の擬似的な『コミュニケーション（交流もしくは交流のための情報伝達）』のために使用され、自装置の内部の電子生物が伝達の主体となっており他の電子生物生存装置の内部の他の電子生物が伝達の相手方となっている伝達情報」の複数の候補を、記録しておく伝達情報記録手段と、
他の電子生物生存装置の内部の他の電子生物に伝達する若しくは伝達しようとする『伝達情報』を、前記伝達情報記録手段に記録されている伝達情報の複数の候補の中から、自動的に又は「後記の電波等の発信の前に行われる、ユーザーによる操作もしくは設定」に基づいて、選択する伝達情報選択手段と、
「前記伝達情報選択手段により選択された『伝達情報』を示す情報を乗せた若しくは一体化した、電波もしくは赤外線」を、近距離無線がカバーする範囲内の近傍に存在する他の携帯型電子生物生存装置に直接に(インターネットなどの公衆通信網を介することなく)届くように、自動的に（「発信時におけるユーザーによる特別な操作」を介することなく）、近距離無線により発信する電波等発信手段と、
近傍のエリアにある他の電子生物生存装置から無線で発信された「電波もしくは赤外線」を、近距離無線により直接に(インターネットなどの公衆通信網を介することなく)受信する電波等受信手段と、
前記電波等受信手段により受信された「電波もしくは赤外線」に基づいて、「前記他の電子生物からの『伝達情報』」を、画面又は音声により出力する出力手段と、
を含むことを特徴とする、ユーザーに携帯され若しくはユーザーの身体に装着されており、その内部に電子生物を生存させている携帯型電子生物生存装置。
【請求項２９】
近傍のエリアに居る他の電子生物生存装置に受信されるように、「電子生物による所定の挨拶信号」を、無線で送信するための挨拶信号送信手段と、
近傍のエリアにある他の電子生物生存装置から無線で送信された「電子生物による所定の挨拶信号」を受信するための挨拶信号受信手段と、
を含むことを特徴とする、ユーザーに携帯され若しくはユーザーの身体に装着されており、その内部に電子生物を生存させている携帯型電子生物生存装置。